(57)【特許請求の範囲】
【請求項１】
第１の発熱部から第１の熱輸送手段を通じて輸送された熱を放熱する第１の放熱フィンと、
入力された第１の駆動電力により回転して前記第１の放熱フィンに送風する第１のファンと、
前記第１の発熱部の温度を計測する第１の温度計測手段と、
前記第１の温度計測手段により測定された温度に対する駆動条件に従って前記第１の駆動電力を調整する第１の調整手段と、
前記第１のファンの回転数を計測する第１の回転数計測手段と、
前記第１の調整手段により調整された第１の駆動電力に関する電力指標と前記第１の回転数計測手段により計測された第１のファンの回転数との関係における正常境界からの逸脱値を算出する逸脱値算出手段と、
前記逸脱値に基づいて、前記第１のファンが筐体外部から外気を取り込んで前記第１の放熱フィンに送風する送風路上の閉塞を検出する閉塞検出手段と、
前記第１のファンの性能の経年変化に伴い前記閉塞検出手段による閉塞の検出能が低下するのを補償するために、前記経年変化に応じて前記逸脱値を補正する逸脱値補正手段と、を具備することを特徴とする電子機器。
【請求項２】
前記電力指標が、ＰＷＭ制御の印加デューティー比、印加電圧値、消費電流値、消費電力値の少なくともいずれかであることを特徴とする請求項１記載の電子機器。
【請求項３】
前記第１のファンの運転時間を記録する運転時間記録手段をさらに具備し、
前記逸脱値補正手段は、前記第１のファンの運転時間を変数とする性能推定式に従って該第１のファンの性能の経年変化を求めることを特徴とする請求項１又は２記載の電子機器。
【請求項４】
塵埃除去手段による塵埃除去後または塵埃捕獲部材の再装着後に塵埃除去信号を出力する塵埃除去信号出力手段をさらに具備し、
前記逸脱値補正手段は、新規使用時の前記電力指標と前記ファンの回転数の関係と、前記塵埃除去信号が出力された際の前記電力指標と前記ファンの回転数の関係との差分を補正量として用いて前記逸脱値の補正を行うことを特徴とする請求項１乃至３のいずれかに記載の電子機器。
【請求項５】
前記第１の放熱フィンから前記筐体外部に向かう送風路が閉塞手段により閉塞された際に閉塞信号を出力する閉塞信号出力手段をさらに具備し、
前記逸脱値補正手段は、新規使用時において前記閉塞信号が出力された際の前記電力指標と前記ファンの回転数の関係と、ある時間経過した時点において前記閉塞信号が出力された際の前記電力指標と前記ファンの回転数の関係との差分を補正量として用いて前記逸脱値の補正を行うことを特徴とする請求項１乃至３のいずれかに記載の電子機器。
【請求項６】
塵埃が付着し難い構造を有し、第２の発熱部から第２の熱輸送手段を通じて輸送された熱を放熱する第２の放熱フィンと、
入力された第２の駆動電力により回転して前記第２の放熱フィンに送風する第２のファンと、
前記第２の発熱部の温度を計測する第２の温度計測手段と、
前記第２の温度計測手段により測定された温度に対する駆動条件に従って前記第２の駆動電力を調整する第２の調整手段と、
前記第２のファンの回転数を計測する第２の回転数計測手段と、
前記第２の調整手段により調整された第２の駆動電力に関する電力指標と、前記第２の回転数計測手段により計測された第２のファンの回転数とに基づいて、前記第２のファンの経年変化を求める手段と、をさらに具備し、
前記逸脱値補正手段は、前記第２のファンの経年変化に応じて前記逸脱値を補正することを特徴とする請求項１記載の電子機器。
【請求項７】
前記第１のファンと同一の軸受け構造を有し、入力された第３の駆動電力により回転する回転軸を備える補正用装置と、
駆動条件に従って前記第３の駆動電力を調整する第３の調整手段と、
前記回転軸の回転数を計測する第３の回転数計測手段と、
前記第３の調整手段により調整された第３の駆動電力に関する電力指標と、前記第３の回転数計測手段により計測された前記回転軸の回転数とに基づいて、前記第１のファンの経年変化を求める手段と、をさらに具備し、
前記逸脱値補正手段は、前記第１のファンの経年変化に応じて前記逸脱値を補正することを特徴とする請求項１記載の電子機器。
【請求項８】
前記補正用装置の回転軸を前記第１のファンと同じ回転数で回転するように前記駆動条件が設定されることを特徴とする請求項７記載の電子機器。
【発明の詳細な説明】
【技術分野】
【０００１】
本発明は、放熱フィンとファンを含む冷却装置を有するノートパソコン等の電子機器に関し、冷却装置の性能低下を検知する電子機器に関する。
【背景技術】
【０００２】
ノートパソコン等の電子機器において、ＣＰＵ等の発熱部を冷却するためにヒートスプレッダ、ヒートパイプ、放熱フィン、およびファンを備えた冷却装置が広く用いられている。発熱部からの熱は、これと接触するヒートスプレッダに伝えられ、ヒートパイプを通じて放熱フィンに輸送される。ファンは、電子機器筐体に設けられた開口部から外気を取り込んで放熱フィンへ送風する。これにより放熱フィンが冷却されるとともに発熱部も冷却される。
【０００３】
ファンを駆動することにより発生する空気の流れには外気中の塵埃が含まれており、放熱フィンに流入する。塵埃には、放熱フィンを通過して外部に排出されるものもあるが、一部が放熱フィンの特に入口部に付着し、それが時間と共に徐々に堆積して空気の流れを阻害し、やがては冷却性能に影響を及ぼすようになる。
【０００４】
これに対する解決策として、放熱フィン、冷却装置、あるいは筐体開口部に設置したフィルター等の塵埃捕獲部材における閉塞を検知し、それがある程度に達したら、塵埃捕獲部材の交換や電子機器内に組み込んだ塵埃除去手段の動作をユーザーに促したり、塵埃除去を自動的に行わせるための指令を電子機器内やネットワークにより接続された他の電子機器から発信することが考えられている。
【０００５】
これを実現するシステムの例として、塵埃による閉塞の検知にファンの回転数増大を利用するものがある。例えば下記特許文献１には、メモリに所定回転数を予め設定しておき、検知した回転数と所定回転数との比較結果により塵埃による閉塞を検知してフィルタ交換の警告を発することが記載されている。例えば特許文献２には、実回転数と制御回転数との乖離を検出し、塵埃を掻き出す集塵部材の清掃を促す警告を発することが記載されている。
【特許文献１】特開２００４−６３９９３号公報
【特許文献２】特開２００７−１８９１８３号公報
【発明の開示】
【発明が解決しようとする課題】
【０００６】
放熱フィンを冷却するための送風を行うファンを単独で運転した場合、例えば同じデューティー比を印加した場合の回転数が経時的に徐々に低下する現象が生じる。その原因は、ファンの軸受に用いられる潤滑油の劣化、ファン回転部付近への塵埃の付着等であるが、これにより閉塞の進行によるファンの回転数増大が打ち消されるようになる。従って、塵埃による閉塞を検知し難くなってしまうという問題点がある。
【０００７】
本発明は、このような事情に鑑みてなされたものであり、ファン性能が経時変化しても塵埃による閉塞の検知を安定して行える電子機器を提供することを目的とする。
【課題を解決するための手段】
【０００８】
本発明の一観点に係る電子機器は、第１の発熱部から第１の熱輸送手段を通じて輸送された熱を放熱する第１の放熱フィンと、入力された第１の駆動電力により回転して前記第１の放熱フィンに送風する第１のファンと、前記第１の発熱部の温度を計測する第１の温度計測手段と、前記第１の温度計測手段により測定された温度に対する駆動条件に従って前記第１の駆動電力を調整する第１の調整手段と、前記第１のファンの回転数を計測する第１の回転数計測手段と、前記第１の調整手段により調整された第１の駆動電力に関する電力指標と前記第１の回転数計測手段により計測された第１のファンの回転数との関係における正常境界からの逸脱値を算出する逸脱値算出手段と、前記逸脱値に基づいて、前記第１のファンが筐体外部から外気を取り込んで前記第１の放熱フィンに送風する送風路上の閉塞を検出する閉塞検出手段と、前記第１のファンの性能の経年変化に伴い前記閉塞検出手段による閉塞の検出能が低下するのを補償するために、前記経年変化に応じて前記逸脱値を補正する逸脱値補正手段と、を具備することを特徴とする。
【発明の効果】
【０００９】
本発明によれば、ファン性能が経時変化しても塵埃による閉塞の検知を安定して行える電子機器を提供することができる。
【発明を実施するための最良の形態】
【００１０】
以下、本発明の実施の形態を図面を参照して説明する。
【００１１】
（第１の実施の形態）
図１に、本発明の第１の実施の形態に係る冷却性能低下検知機能を備えた電子機器のブロック図を示し、図２に、該電子機器１００の筐体内部に設けられた冷却装置の外観を示す。
【００１２】
冷却装置１は、ＣＰＵ等の発熱部２から受熱部３、ヒートパイプ４を通じて輸送された熱を放熱する放熱フィン５と、入力された駆動電力により回転して放熱フィン５に送風するファン６を有する。このファン６からの送風により放熱フィン５は冷却される。
【００１３】
駆動電力調整手段１１は、ＣＰＵ等に組み込まれた温度センサ１０によって測定された発熱部２の温度と、この測定された温度に対する駆動条件に従ってファン６に入力する駆動電力を調整する。ファン６を例えば定電圧ＰＷＭ制御する構成とした場合、駆動電力調整手段１１は、ファン６に対して出力するＰＷＭ信号を調整する。ファン６を例えば電圧可変制御する構成とした場合には、駆動電力調整手段１１は、ファン６に対して印加する可変電圧を調整する。
【００１４】
駆動電力調整手段１１により調整される駆動電力に関する電力指標としては、ＰＷＭ制御の印加デューティー比、印加電圧値がある。これらの情報は駆動電力調整手段１１から与えられるので、測定によらずとも得ることができる。また電力指標としては、消費電流値や消費電力値を用いることもできる。その場合には、図３に示す駆動電力検出手段１５を別途設け、測定を行う構成とすればよい。
【００１５】
エンコーダー等の回転数検出手段１３は、ファン６の回転数を検出する。
【００１６】
逸脱値算出手段１２は、電力指標とファン６の回転数との関係における正常境界からの逸脱値を算出し、この逸脱値に基づいて、ファン６が電子機器１００の筐体外部から外気を取り込んで放熱フィン５に送風する送風路上の閉塞を検出する（閉塞検出手段）。ここでいう送風路上の閉塞としては、塵埃による閉塞と、書籍等による閉塞の２種類が主に生じ得る。前者は、放熱フィン５や、冷却装置１に設置したフィルター等の塵埃捕獲部材において生じ得る。後者は、ファン６の排気口付近の筐体開口部７が書籍等で塞がれた場合に生じる。
【００１７】
電力指標とファンの回転数の関係における正常境界からの逸脱値は例えば次のように算出することができる。
【００１８】
（１）特定のファンの回転数領域における、電力指標の正常境界との差分により算出
（２）特定の電力指標領域における、ファン回転数の正常境界との差分により算出
（３）電力指標とファン回転数を変数とする判定式に、運転時における電力指標とファン回転数を組み込んで算出
ここで、ファン特性の経年変化について説明する。上述したように、放熱フィン５を冷却するための送風を行うファン６を単独で運転した場合、例えば同じデューティー比を印加した場合の回転数が経時的に徐々に低下する現象が生じる。その原因は、ファン６の軸受に用いられる潤滑油の劣化、ファン６の回転部付近への塵埃の付着等である。図４はファン特性の経年変化の例を示している。曲線Ａで示すあるファンの特性は、ファンの使用開始当初からフラットな回転数が得られるものであるが、例えば数万時間の運転により回転数はゆるやかに減少していく。また、曲線Ｂで示す別のファンの特性は、ファンの使用開始から例えば数百時間が経過するまでは回転数は増加し、さらに一定期間にわたってフラットな特性であり、曲線Ａの場合と同様、時間の経過により回転数がゆるやかに減少していく。
【００１９】
これらのようなファン特性の経年変化によりファン６の回転数はフラットな特性から減少に転じることから、閉塞の進行によるファン６の回転数増大が打ち消されるようになる。従って、塵埃による閉塞を検知し難くなってしまう。本実施形態によれば、以下に説明するようにこのようなファン特性の経年変化による影響を無くし、安定して塵埃による閉塞の検知を行えるように構成される。このため、ファン６の性能の経年変化に伴い逸脱値算出手段１２による閉塞の検出能が低下するのを補償するために、ファン６の性能の経年変化に応じて逸脱値を補正する逸脱値補正手段１４を具備する。
【００２０】
本実施形態では例えばＰＷＭ制御を採用することを仮定し、上記（１）〜（３）の逸脱値算出方法のそれぞれが用いられる場合について以下に説明する。
【００２１】
（１）特定のファン回転数領域における、電力指標の正常境界との差分により算出
これは、温度センサ１０により測定された温度によってファン６の回転数を制御する場合において好適に用いられる。通常、制御目標であるファン６の回転数は、離散的な値が用いられる。図５は、冷却装置１の閉塞の程度が異なる場合の、ファン６のデューティー比と回転数検出手段１３により得られたファン６の回転数との関係を示している。実際に取得された回転数は、ファン６の加速・減速中の場合を含む可能性があるので、例えば同じデューティー比が所定時間連続した場合のデータのみを残し、これを逸脱値算出に用いることができる。
【００２２】
図５において、閉塞が進行するにつれて４１００〜４２００ｒｐｍの回転数領域におけるデューティー比は低下していく。ここで、ある閉塞度における当該回転数領域でのデューティー比を予め模擬閉塞試験等により求めておき、これを正常状態の下限値、すなわち「正常境界」として設定（図中ではＸ＝ａ）する。なお、同一電力指標におけるファン単体の回転数には個体差があるので、各電子機器の新規使用開始時において得られた電力指標とファン６の回転数の関係から、この下限値は修正可能である。
【００２３】
この下限値から、実際の運転時における当該回転数領域のデューティー比を減じたものを「正常境界からの逸脱値」とする。閉塞が進行するにつれて逸脱値は負から正の値に変わるが、この値が例えば０になった段階で異常と判定し、塵埃捕獲部材の交換や電子機器内に組み込んだ塵埃除去手段（いずれも図示しない）の動作をユーザーに促したり、これを自動的に行う指令を、電子機器内やネットワークにより接続された他の電子機器から発信することができる。なお、実際のデューティー比は、ファン６に流入する空気温度等によって回転数が若干変化することに起因する変動を受けることから、判定にあたっては、ある期間の平均逸脱値が０以上になったり、０以上になる頻度が所定回数を超えた場合に、異常とすることが好ましい。
【００２４】
逸脱値補正手段１４は、ファン性能の経時変化を導入して逸脱値を補正する。あるタイミングにおいて、逸脱値補正手段１４により電力指標とファン回転数の関係の修正を行う。この場合は、ある回転数領域を与えるデューティー比は、ファン６の単独性能の経時変化によって増加する傾向にあるので、正常境界の下限値を、以前よりも若干大きい値に修正する。即ち、Ｘ＝ａの関係式を、Ｘ＝ａ＋ｓ（ｓは正の値）に修正する。
【００２５】
（２）特定の電力指標領域における、ファン回転数の正常境界との差分により算出
これは、温度センサ１０により測定された温度によってデューティー比を制御する場合において好適に用いられる。この場合、閉塞の進行により、あるデューティー比領域におけるファン６の回転数は増加していくので、ある閉塞度におけるこのデューティー比領域での回転数を予め模擬閉塞試験等により求めておき、これを正常状態の上限値、すなわち「正常境界」として設定する。なお、同一電力指標におけるファン６単体の回転数は個体差があるので、各電子機器の新規使用開始時において得られた電力指標とファン６の回転数の関係から、この上限値は修正可能である。
【００２６】
実際の運転時におけるこのデューティー比領域の回転数からこの上限値を減じたものを、「正常境界からの逸脱値」とする。閉塞が進行するにつれて逸脱値は負から正の値に変わる。
【００２７】
逸脱値補正手段１４は、ファン６の性能の経時変化を導入して逸脱値を補正する。あるタイミングにおいて、逸脱値補正手段１４により電力指標とファン６の回転数の関係の修正を行う。この場合は、あるデューティー比領域における回転数は、ファン６の単独性能の経時変化によって減少する傾向にあるので、正常境界の上限値を、以前よりも若干小さい値に修正する。
【００２８】
（３）電力指標とファン回転数を変数とする判定式に、運転時における電力指標とファン回転数を組み込んで算出
最後に、上記（３）について、図６を用いて以下に説明する。図６は、図５と同じく温度センサ１０により測定された温度によってファン６の回転数を制御する場合において、冷却装置１の閉塞の程度が異なる場合の、デューティー比と回転数の関係である。
【００２９】
図６においては、閉塞が進行するにつれて夫々の回転数領域におけるデューティー比は低下していく。ここで、ある閉塞度におけるデューティー比と回転数の関係を予め模擬閉塞試験等により求めておき、これを正常状態の下限、すなわち「正常境界」を示す判定式（Ｙ−ｂＸ−ｃ）として設定する。両者の関係を求めるにあたって２つ以上の回転数領域を用いるが、高回転数が望ましい。なお、同一電力指標におけるファン６単体の回転数は個体差があるので、各電子機器の新規使用開始時において得られた電力指標とファン６の回転数の関係から、この判定式は修正可能である。
【００３０】
実際の運転時におけるデューティー比（Ｘ）と回転数（Ｙ）をこの判定式に組み込むことにより、「正常境界からの逸脱値」を得る。閉塞が進行するにつれて逸脱値は負から正の値に変わるが、この値が０になった段階で異常と判定し、塵埃捕獲部材の交換や予め電子機器内に組み込んだ塵埃除去手段の動作をユーザーに促したり、これを自動的に行う指令を、電子機器内やネットワークにより接続された他の電子機器から発信することができる。なお、回転数がファン６に流入する空気温度等によって若干変化する現象が実際には生じるので、判定にあたっては、ある期間の平均逸脱値が０以上になったり、０以上になる頻度が所定回数を超えた場合に、異常とすることができる。
【００３１】
逸脱値補正手段１４は、ファン性能の経時変化を導入して逸脱値を補正する。あるタイミングにおいて、逸脱値補正手段１４により電力指標とファン６の回転数の関係の修正を行う。この場合は、ある回転数領域を与えるデューティー比は、ファン６単独性能の経時変化によって増加する傾向にあるので、正常境界を示す関係式をＹ−ｂＸ−ｃからＹ−ｂＸ−ｃ＋ｔ（ｔは正の値）に修正する。
【００３２】
以上説明した本発明の第１の実施形態に係る電子機器は、ファン６の性能の経年変化に伴い逸脱値算出手段１２による閉塞の検出能が低下するのを補償するために、ファン６の性能の経年変化に応じて逸脱値を補正する逸脱値補正手段１４を備えることから、塵埃による閉塞の検知を安定して行えるようになる。
【００３３】
（第２の実施の形態）
図７に、本発明の第２の実施の形態に係る電子機器のブロック図を示す。この図７に示す電子機器は、図１に示した電子機器１００に対し、運転時間記録手段１６を新たに設けたものである。なお、図７において、図１の各部と同一部分は、同一符号で示し、その説明を省略する。
【００３４】
運転時間記録手段１６は、ファン６の運転時間の積算値を記録する。この積算値を変数とするファン６の回転数の経時変化式（性能推定式）を用いることにより補正を行う。性能推定式としては、あるデューティー比における回転数の時間的減少量を与えるものでもよいし、ある回転数を与えるデューティー比の時間的増加量を与えるものでもよい。例えば第１の実施の形態における（１）の場合には、ある回転数領域を与えるデューティー比の、新規使用時と、ある時点における運転時との差分が、Ｘ＝ａ＋ｓにおけるｓの値となる。あるいはこの差分値が、閉塞の程度によって変化することが事前の試験等により判明している場合は、このｓの値を修正してもよい。性能推定式の変数としては、ファン６の運転時間の積算値の他に、ファン６の回転速度や軸受温度を組み込むことが可能である。
【００３５】
（第３の実施の形態）
図８に、本発明の第３の実施の形態に係る電子機器のブロック図を示す。この図８に示す電子機器は、図１に示した電子機器１００に対し、塵埃除去手段１７と、塵埃除去信号出力手段１９を新たに設置したものである。なお、図８において、図１の各部と同一部分は、同一符号で示し、その説明を省略する。
【００３６】
逸脱値算出手段１２は、逸脱値算出に基づいて塵埃による閉塞を検出すると、ユーザーに指示して塵埃除去手段１７を稼動させる。あるいは、この稼動は電子機器内やネットワークにより接続された他の電子機器から指令を発信して自動的に行ってもよい。
【００３７】
図９及び図１０は、塵埃除去手段１７を示す図である。ディスプレイ２０を電子機器１００の筐体に対して回転可能に接続するヒンジ２１には、回転バネまたはギヤが付属していてもよい。このヒンジ２１には、ディスプレイ２０の開閉に伴い回転する駆動棒２２が設けられている。この駆動棒２２の回転により、押し下げ部品２３が図中Ｃの方向に沿って押し下げられる。これによりバネ付ワイヤ／ブラシ等からなる塵埃除去用部材２４が押し下げられる。塵埃除去用部材２４は（特に塵埃が堆積しやすい）放熱フィン５の入口表面に接するように配置されており、塵埃を除去する。
【００３８】
塵埃除去手段１７による塵埃除去が終了すると、塵埃除去信号出力手段１９から逸脱値補正手段１４に塵埃除去信号を出力する。この塵埃除去信号を受けた後、逸脱値補正手段１４は補正を行う。補正は、各電子機器の新規使用開始時において得られた電力指標とファン６の回転数の関係と、この信号を受けた後のなるべく早い時期の運転時において得られた電力指標とファン６の回転数の関係との差分により行う。例えば第１の実施の形態における（１）の場合には、ある回転数領域を与えるデューティー比の、新規使用時とこの信号を受けた後のなるべく早い時期の運転時との差分が、Ｘ＝ａ＋ｓにおけるｓの値となる。あるいは、新規使用時と経時変化が生じたファン６の回転数との差分値が、閉塞の程度によって変化することが事前の試験等により判明している場合は、このｓの値を修正してもよい。
【００３９】
また、塵埃除去手段１７の代わりに、フィルター等の塵埃捕獲部材１８を、冷却装置１や電子機器１００の筐体の開口部に設置することも可能である。
【００４０】
図１１（ａ）（ｂ）は、塵埃捕獲部材３０を示す図である。塵埃捕獲部材３０は、放熱フィン５とファン６の間に設けられ、例えば編み目状のフィルタにより放熱フィン５の入口表面の塵埃を捕獲する。このような塵埃捕獲部材３０は、交換または清掃のため、電子機器１０の筐体の底面から取り外すことが可能となっている。
【００４１】
逸脱値算出手段１２は、逸脱値算出に基づいて塵埃による閉塞を検出すると、ユーザーに指示して塵埃捕獲部材３０を取り外させる。取り外した塵埃捕獲部材３０は、交換あるいは清掃を行った後、再装着される。再装着後は、塵埃除去信号出力手段１９から逸脱値補正手段１４に信号を出力する操作をユーザーが行うか、電子機器が再装着を認識して自動的に信号が出力される。
【００４２】
（第４の実施の形態）
図１２に、本発明の第４の実施の形態に係る電子機器のブロック図を示す。この図１２に示す電子機器は、図１に示した電子機器１００に対し、放熱フィン閉塞手段４０と、放熱フィン閉塞信号出力手段４１を新たに設けたものである。なお、図１２において、図１の各部と同一部分は、同一符号で示し、その説明を省略する。
【００４３】
放熱フィン閉塞手段４０は、図１３に示すように、小型モータ５０により回転駆動される遮蔽板５１を有し、放熱フィン５出口部の全面を閉塞させることができる。
【００４４】
電子機器１００内やネットワークにより接続された他の電子機器からユーザーに指令を発し、ユーザーが放熱フィン閉塞手段４０を動作させる。あるいは、ユーザーに指令を行わず、自動的に閉塞動作が行われる構成としてもよい。この動作時には、放熱フィン５に対しヒートパイプ４を通じて接続された発熱部２からの発熱量は、なるべく小さい状態にあることが望ましい。放熱フィン閉塞手段４０による閉塞動作が行われると、放熱フィン閉塞信号出力手段４１から逸脱値補正手段１４に閉塞信号を出力する。この信号を受けた後、逸脱値補正手段１４は補正を行う。
【００４５】
補正は、各電子機器の新規使用開始時において放熱フィン閉塞手段４０の動作を行った後に得られた電力指標とファン６の回転数の関係と、ある時間経過した時点において放熱フィン閉塞手段４０の動作を行った後に得られた電力指標とファン６の回転数の関係との差分に基づいて行う。
【００４６】
例えば第１の実施の形態における（１）の場合には、放熱フィン５の出口部の全面を閉塞させた場合の、ある回転数領域を与えるデューティー比について、新規使用時とある時間経過した時点においての運転時との差分が、Ｘ＝ａ＋ｓにおけるｓの値となる。あるいは、新規使用時と経時変化が生じたファン６の回転数の差分値が、閉塞の程度によって変化することが事前の試験等により判明している場合は、このｓの値を修正してもよい。
【００４７】
このような第４の実施形態は、放熱フィン５の状態を一意に既定した際の測定値で補償を行うものであって、上記差分は、ファン性能の経年変化を反映している。
【００４８】
（第５の実施の形態）
図１４に、本発明の第５の実施の形態に係る電子機器のブロック図を示す。この図１４に示す電子機器は、図１に示した電子機器１００に対し、第２の冷却装置６０が付加されている構成である。第２の冷却装置６０は、第２の放熱フィン６１、第２のファン６２、第２の温度センサ６３、第２の駆動電力調整手段６４、経時変化算出手段６５、第２の回転数検出手段６６を有する。このような第２の冷却装置６０は、図１５に示すように発熱部２とは別の発熱部６７からの発熱を冷却するためのものであって、冷却部１と同様の構成を有する。
【００４９】
冷却装置６０における第２のファン６２は、冷却装置１におけるファン６と同じ種類（例えば流体軸受等）の軸受構造を有することが望ましい。また、第１のファン６と第２のファン６２の運転時間はほぼ同じであることが望ましい。ただし、第２のファン６２と組み合わされた放熱用フィン６１は、そのフィンピッチが広い等、塵埃による閉塞が生じ難い構造であることが必要である。
【００５０】
第２の駆動電力調整手段６４は、第２のファン６２を駆動するＰＷＭ信号の出力（定電圧ＰＷＭ制御の場合）や、電圧の調節（電圧可変制御の場合）を行う。第２のファン６２の回転数は、エンコーダー等の第２の回転数検出手段６６により検出される。経時変化算出手段６５は、これらから得られた情報を基に、第２のファン６２について、性能の経時変化を算出する。経時変化の算出は、例えば、各電子機器の新規使用開始時において得られた第２のファン６２の電力指標と回転数の関係と、ある時間経過した運転時において得られた第２のファン６２の電力指標と回転数の関係との差分を求めることにより行う。
【００５１】
この経時変化の情報を、逸脱値補正手段１４に伝達し、これに基づいて逸脱値補正手段１４はファンの電力指標と回転数の関係の正常境界からの逸脱値を補正することができる。
【００５２】
（第６の実施の形態）
図１６に、本発明の第６の実施の形態に係る電子機器のブロック図を示す。この図１６に示す電子機器は、図１に示した電子機器１００に対し、補正用装置７３と、補正用装置駆動電力調整手段７０と、補正用装置回転数検出手段７２と、補正用装置経時変化算出手段７１を新たに設けたものである。なお、図１６において、図１の各部と同一部分は、同一符号で示し、その説明を省略する。
【００５３】
図１７は、補正用装置７３の外観を示しており、図１８は、補正用装置７３の断面図を示している。
【００５４】
補正用装置７３は、少なくとも回転部を有し、軸受け７５に取付られたシャフト７４が駆動電圧により駆動されることにより、羽根なし回転体が回転する。このような補正用装置７３は、羽根を有さない点を除いて冷却装置１のファン６と同一の構造を有する。なお、羽根なし回転体とせずに、補正用装置７３をファン６と全く同一の構造としてもよい。
【００５５】
図１８のような羽根なし回転体とした場合は、補正用装置７３の小型化が可能になる。ただし、軸受７５の構造は、ファン６と同じ種類（例えば流体軸受等）であることが望ましい。更に、ファン６と常に同じ回転数で動作させることが望ましい。
【００５６】
補正用装置駆動電力調整手段７０は、補正用装置７３を駆動するＰＷＭ信号の出力（定電圧ＰＷＭ制御の場合）や、電圧の調節（電圧可変制御の場合）を行う。補正用装置７３の回転数は、エンコーダー等の補正用装置回転数検出手段７２により知ることができる。補正用装置経時変化算出手段７１は、これらから得られた情報を基に、補正用装置７３の性能の経時変化を算出する。この経時変化の情報は逸脱値補正手段１４に伝達され、これに基づいて逸脱値補正手段１４はファン６の電力指標と回転数の関係の正常境界からの逸脱値を補正する。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】本発明の第１の実施の形態に係る電子機器のブロック図
【図２】電子機器の筐体内部に設けられた冷却装置の外観を示す図
【図３】本発明の第１の実施の形態に係る電子機器のブロック図の変形例を示すブロック図
【図４】ファン特性の経年変化の例を示すグラフ
【図５】電力指標とファン回転数の関係の正常境界の一例を示す図
【図６】電力指標とファン回転数の関係の正常境界の別の例を示す図
【図７】本発明の第２の実施の形態に係る電子機器のブロック図
【図８】本発明の第３の実施の形態に係る電子機器のブロック図
【図９】塵埃除去手段を示す図
【図１０】塵埃除去手段を示す図
【図１１】塵埃捕獲部材を示す図
【図１２】本発明の第４の実施の形態に係る電子機器のブロック図
【図１３】放熱フィン閉塞手段を示す図
【図１４】本発明の第５の実施の形態に係る電子機器のブロック図
【図１５】第２の冷却装置を示す図
【図１６】本発明の第６の実施の形態に係る電子機器のブロック図
【図１７】補正用装置を示す図
【図１８】補正用装置の断面図
【符号の説明】
【００５９】
１…冷却装置；
２…発熱部；
３…受熱部；
４…ヒートパイプ；
５…放熱フィン；
６…ファン；
１０…温度センサ；
１１…駆動電力調整手段；
１２…逸脱値算出手段；
１３…回転数検出手段；
１４…逸脱値補正手段
【図１】
0005175622.tif 000002
【図２】
0005175622.tif 000003
【図３】
0005175622.tif 000004
【図４】
0005175622.tif 000005
【図５】
0005175622.tif 000006
【図６】
0005175622.tif 000007
【図７】
0005175622.tif 000008
【図８】
0005175622.tif 000009
【図９】
0005175622.tif 000010
【図１０】
0005175622.tif 000011
【図１１】
0005175622.tif 000012
【図１２】
0005175622.tif 000013
【図１３】
0005175622.tif 000014
【図１４】
0005175622.tif 000015
【図１５】
0005175622.tif 000016
【図１６】
0005175622.tif 000017
【図１７】
0005175622.tif 000018
【図１８】
0005175622.tif 000019